(57)【要約】【課題】  水（生活廃水を含む）の位置エネルギーを利用することにより装置の簡易化、発電コストの低減化と、更には設置場所の制約がなく、電力の安定供給が可能な、発電方法及び装置を提供する。【解決手段】  ほぼ連続的に流れ落ちる水を受け入れるように貯水槽を置き、貯水槽とカウンターウェイトを交互に上下運動するよう伝動手段で連結し、伝動手段にフライホィールを一方向に回転するように連結し、貯水槽は上方のブレーキ解除位置より下降し、所定の落差距離の下部位置において自動的に排水を行い、排水後は貯水槽の排水弁が自動的に閉じてカウンターウェイトの下降により貯水槽を上昇させ、貯水槽内の水位がブレーキ解除位置に達するまでは貯水槽の落下を防ぐようブレーキをかけ、貯水槽とカウンターウェイトの上下運動を伝動手段を介してフライホィールの一方向回転運動に変換し、このフライホィールの慣性力により発電機を回転させる。【選択図】        図１
2005171834.tif 000002
【特許請求の範囲】
【請求項１】
ほぼ連続的に流れ落ちる水を受け入れるように貯水槽を置き、この貯水槽とカウンターウェイトを交互に上下運動するように伝動手段で連結し、この伝動手段に１つ又は複数のフライホィールを一方向に回転するように連結し、前記貯水槽は上方のブレーキ解除位置より下降し、所定の落差距離の下部位置において自動的に排水を行い、排水後は前記貯水槽の排水弁が自動的に閉じて前記カウンターウェイトの下降により前記貯水槽を上昇させるとともに、前記貯水槽内の水位が前記ブレーキ解除位置に達するまでは前記貯水槽の落下を防ぐようブレーキをかけ、前記貯水槽とカウンターウェイトの上下運動を前記伝動手段を介して前記フライホィールの一方向回転運動に変換し、このフライホィールの慣性力により発電機を回転させることを特徴とする発電方法。
【請求項２】
間欠的あるいは断続的に流れ落ちる水を受け入れるように貯水槽を置き、この貯水槽とカウンターウェイトを交互に上下運動するように伝動手段で連結し、前記貯水槽は上方のブレーキ解除位置より下降し、所定の落差距離の下部位置において自動的に排水を行い、排水後は前記貯水槽の排水弁が自動的に閉じて前記カウンターウェイトの下降により前記貯水槽を上昇させるとともに、前記貯水槽内の水位が前記ブレーキ解除位置に達するまでは前記貯水槽の落下を防ぐようブレーキをかけ、前記貯水槽とカウンターウェイトの上下運動を前記伝動手段を介して発電機を回転させることを特徴とする発電方法。
【請求項３】
前記貯水槽及びカウンターウェイトの下方に連通部を有するオイルダンパーを設け、この連通部に第２の発電機に直結された油圧モータを設け、前記貯水槽及びカウンターウェイトの交互の下降により発生するオイルの流れによって前記油圧モータを介し前記第２の発電機を回転させ、この発電機出力を電気的にプラス側だけに変換して蓄電池に充電することを特徴とする請求項１又は２記載の発電方法。
【請求項４】
底部に自動排水手段を備える貯水槽と、この貯水槽の対向側に設けられるカウンターウェイトと、前記貯水槽及びカウンターウェイトの交互の上下運動を回転運動に変換する伝動手段と、この伝動手段に連結されラチェット手段を介して一方向に回転させるフライホィールと、このフライホィールに連結される発電機と、この発電機に接続される蓄電池及び電圧・周波数変換装置（ＶＶＶＦ）とを備えたことを特徴とする発電装置。
【請求項５】
底部に自動排水手段を備える貯水槽と、この貯水槽の対向側に設けられるカウンターウェイトと、前記貯水槽及びカウンターウェイトの交互の上下運動を回転運動に変換する伝動手段と、この伝動手段に連結されラチェット手段を介して一方向に回転させる発電機と、この発電機に接続される蓄電池及び電圧・周波数変換装置（ＶＶＶＦ）とを備えたことを特徴とする発電装置。
【請求項６】
前記貯水槽は、ブレーキ作動位置及びブレーキ解除位置を検出する水位計を備えてなることを特徴とする請求項４または５記載の発電装置。
【請求項７】
前記貯水槽の自動排水手段は、決められた貯水槽下降位置においてストライカーにより自動的に排水弁を開く構成となっていることを特徴とする請求項４乃至６のいずれかに記載の発電装置。
【請求項８】
前記貯水槽及びカウンターウェイトの下方に衝撃吸収手段を設置してなることを特徴とする請求項４乃至７のいずれかに記載の発電装置。
【請求項９】
前記衝撃吸収手段は、連通部を有するオイルダンパーからなり、この連通部に第２の発電機に直結された油圧モータを設けたことを特徴とする請求項８記載の発電装置。
【発明の詳細な説明】
【技術分野】
【０００１】
本発明は、水（生活廃水を含む）の位置エネルギーを利用する発電方法及び発電装置に関する。
【背景技術】
【０００２】
商用電源の発電方式は、水力発電方式から始まり原子力発電方式まで多々実績があるが、全て設備を大型化・集中化して設備費用および建設費用の低減化（すなわち発電コストの低減化）を図ると同時に、発電の安定性を図ったものである。ところがこれらの発電方式には環境負荷が大きいという、大きな問題が解決されないまま存在している。それに対して、近年とみに普及の速度を速めている、クリーンエネルギーといわれている風力発電方式や太陽光発電方式は、発電設備の分散化と環境負荷が小さいという利点はあるものの、風がなければ発電しない、太陽が出なければ発電しないという、電力の安定供給という面では永遠に解決できないハンディキャップをもっていることは周知の事実である。
【０００３】
一方、上記のような問題点を解決するための一方策として重力式による発電装置というものが提案されている（例えば、特許文献１参照）。
これは、複数の集合タンクを循環装置に結合し、落下する水を受けながら下位の集合タンクに次々に流下させ、そのときの集合タンクと水の重量を利用して循環装置を回転させ、発電機を回転させるというものである。
【特許文献１】特開平１０−３３１７５４号公報
【発明の開示】
【発明が解決しようとする課題】
【０００４】
しかしながら、上記のような重力式の発電方式では、本質的に多量の水が落下しなければ回転運動が発生しないものであり、少量の水量、あるいは生活廃水のような間欠的、断続的な流れでは発電させることができないという問題がある。したがって、発電装置の設置場所に制約を受け、また給水ポンプ等の付帯設備の必要があるなどの問題を内包しており、電力の安定供給、発電コストの面ではなお十分ではない。
【０００５】
本発明は、従来の発電方式の問題点に鑑みてなされたものであり、水（生活廃水を含む）の持つ位置エネルギーを利用することによって装置を簡易化するとともに、発電コストも従来の大型発電設備のそれと遜色のないように低減化が可能で、更には設置場所の制約がなく、環境汚染の無いクリーンエネルギーとしての電力を安定供給できる、発電方法及び発電装置を提供することを目的とする。
【課題を解決するための手段】
【０００６】
本発明に係る第１の発電方法は、ほぼ連続的に流れ落ちる水を受け入れるように貯水槽を置き、この貯水槽とカウンターウェイトを交互に上下運動するように伝動手段で連結し、この伝動手段に１つ又は複数のフライホィールを一方向に回転するように連結し、前記貯水槽は上方のブレーキ解除位置より下降し、所定の落差距離の下部位置において自動的に排水を行い、排水後は前記貯水槽の排水弁が自動的に閉じて前記カウンターウェイトの下降により前記貯水槽を上昇させるとともに、前記貯水槽内の水位が前記ブレーキ解除位置に達するまでは前記貯水槽の落下を防ぐようブレーキをかけ、前記貯水槽とカウンターウェイトの上下運動を前記伝動手段を介して前記フライホィールの一方向回転運動に変換し、このフライホィールの慣性力により発電機を回転させることを特徴とする。
【０００７】
この発明によれば、水（貯水槽の貯留水）の持つ位置エネルギーを単純に自重としてとらえ、そのエネルギーを効率よく電気エネルギーに変換することができる。したがって、電力の安定供給が可能である。しかも、発電装置の設置場所の制約はなく、水がほぼ連続的に流れている場所であればどこにでも設置することができる。また、発電装置は極めて簡易なものであり、分散化でき（送電線路がミニマムになる）、したがって発電コストを低減化することができる。また、いうまでもなくクリーンエネルギーであるため環境汚染の心配は全くない。
【０００８】
また、本発明の第２の発電方法は、間欠的あるいは断続的に流れ落ちる水を受け入れるように貯水槽を置き、この貯水槽とカウンターウェイトを交互に上下運動するように伝動手段で連結し、前記貯水槽は上方のブレーキ解除位置より下降し、所定の落差距離の下部位置において自動的に排水を行い、排水後は前記貯水槽の排水弁が自動的に閉じて前記カウンターウェイトの下降により前記貯水槽を上昇させるとともに、前記貯水槽内の水位が前記ブレーキ解除位置に達するまでは前記貯水槽の落下を防ぐようブレーキをかけ、前記貯水槽とカウンターウェイトの上下運動を前記伝動手段を介して発電機を回転させることを特徴とする。
【０００９】
第２の発電方法は、間欠的あるいは断続的に流れ落ちる水によって発電させる方法である。基本的な考え方は第１の発電方法と同様であるが、フライホィールをなくした点で第１の発電方法と異なる。貯水槽の上下運動の時間間隔が長くなるので、フライホィールを設けると、水（貯水槽の貯留水）の位置エネルギーがフライホィールを回転させるのにほとんどのエネルギーが消費されてしまうことになるからである。
第２の発電方法によれば、生活廃水を利用することができるので、ビルやマンションなどの集合住宅向けに好適なものとなる。
【００１０】
さらに、本発明の第３の発電方法は、前記第１または第２の発電方法において、前記貯水槽及びカウンターウェイトの下方に連通部を有するオイルダンパーを設け、この連通部に第２の発電機に直結された油圧モータを設け、前記貯水槽及びカウンターウェイトの交互の下降により発生するオイルの流れによって前記油圧モータを介し前記第２の発電機を回転させ、この発電機出力を電気的にプラス側だけに変換して蓄電池に充電することを特徴とする。
【００１１】
第３の発電方法は、ショックアブソーバとして設けられるオイルダンパーのオイルの流れを積極的に利用して発電させるものである。発電量が油圧モータによる分だけ第１または第２の発電方法による発電量にプラスとなるため、発電効率が向上する。
【００１２】
本発明の第１の発電装置は、前記底部に自動排水手段を備える貯水槽と、この貯水槽の対向側に設けられるカウンターウェイトと、前記貯水槽及びカウンターウェイトの交互の上下運動を回転運動に変換する伝動手段と、この伝動手段に連結されラチェット手段を介して一方向に回転させるフライホィールと、このフライホィールに連結される発電機と、この発電機に接続される蓄電池及び電圧・周波数変換装置（ＶＶＶＦ）とを備えたことを特徴とする。
この構成により、前記第１の発電方法を効率よく実施することができる。
【００１３】
本発明の第２の発電装置は、底部に自動排水手段を備える貯水槽と、この貯水槽の対向側に設けられるカウンターウェイトと、前記貯水槽及びカウンターウェイトの交互の上下運動を回転運動に変換する伝動手段と、この伝動手段に連結されラチェット手段を介して一方向に回転させる発電機と、この発電機に接続される蓄電池及び電圧・周波数変換装置（ＶＶＶＦ）とを備えたことを特徴とする。
この構成により、前記第２の発電方法を効率よく実施することができる。
【００１４】
また、本発明の第１または第２の発電装置において、前記貯水槽は、ブレーキ作動位置及びブレーキ解除位置を検出する水位計を備えてなることを特徴とする。
貯水槽は、所定量の水（生活廃水を含む）が貯まるまではずり落ちしないようにブレーキがかかるようになっており、また所定量の水（生活廃水を含む）が貯まったときにはブレーキを解除して下降するようになっている。このブレーキ作動位置及びブレーキ解除位置をフロートスイッチ等からなる水位計により検出する。
【００１５】
前記貯水槽の自動排水手段は、決められた貯水槽下降位置においてストライカーにより自動的に排水弁を開く構成となっていることを特徴とする。
貯水槽の底部に設けられた自動排水弁は、貯水槽下降位置でストライカーにレバー等を当接させることにより、自動的に開く。したがって、下降途中などで排水されることはない。
【００１６】
前記貯水槽及びカウンターウェイトの下方に衝撃吸収手段を設置してなることを特徴とする。
衝撃吸収手段により、貯水槽及びカウンターウェイトの下降による衝撃吸収と騒音防止を図ることができる。
【００１７】
前記衝撃吸収手段は、連通部を有するオイルダンパーからなり、この連通部に第２の発電機に直結された油圧モータを設けたことを特徴とする。
衝撃吸収手段を、連通部を持つオイルダンパーを用いて上記のように構成することにより、前記第３の発電方法をオイルの流動によるエネルギーを無駄にすることなく実施することができる。
【発明の効果】
【００１８】
本発明は、発電コストとして従来の発電方式に遜色のない電力を供給できるため、もっとも大きい効果としては現在電力が供給できない僻地や孤島での建設で顕著に現れる。なぜならば、発電設備の分散化が可能である特徴を有するため、送電路の建設コストが極めて小さいからである。また、送電路の建設コスト面では多少不利な面もあるが、水路の高低差のない湖や沼の近くなような設置場所でも発電能力の数％の容量の給水ポンプを設置することにより、連続した電力供給が可能になる。すなわち、利益の追求の目的から阻害されていた少数の需要家のために他と遜色のないコスト負担で電力が供給できることになる。
さらに、本発明は動力となる水が生活廃水でも利用できる、また瞬間的にも停電しない電源であるという特徴があるので、例えば最近建設が盛んな高層集合住宅等は厨房設備も電気化されているため、その自家発電設備として各階に標準化されたものを設置することにより、共通設備のエレベータや照明の電力と最小限の厨房設備を稼働することが可能になり、災害時に本当に必要な自家発電設備となる。
【発明を実施するための最良の形態】
【００１９】
以下、本発明の実施の形態を図面に基づいて説明する。図１は本発明の実施形態の一例を示す発電装置の概念図、図２は本発明の発電装置における動力伝達系統を示す概念図、図３は電力系統を示す図、図４は自動排水手段の構造図である。
この発電装置は、水（貯留水）の位置エネルギーを電気エネルギーに変換するように構成されており、底部に自動排水手段２が設けられた貯水槽１を備え、貯水槽１の対向側にはカウンターウェイト３を設け、貯水槽１及びカウンターウェイト３を交互に上下運動するように伝動手段４で連結する。さらに、この伝動手段４にはラチェット手段５を介して一方向に回転するようにフライホィール６を連結し、フライホィール６の慣性力によって発電機７を回転し、発電機７によって発生した直流電力を蓄電池８に蓄え、さらに一般需要家が利用する交流電源に変換するよう電圧・周波数変換装置（ＶＶＶＦ）９を備えている。
【００２０】
貯水槽１は、水が自然に流れているところであれば設置場所を問わずどこに設けても良い。すなわち、連続的な流れであれ、間欠的な流れであれ、また生活廃水のごとく未浄化の水（但し、フィルタ等によりある程度浄化する必要はある）であっても、それらの水を受け入れるように貯水槽１を設ければよい。貯水槽１への給水手段は特に限定されるものではなく、水が上から流れ落ちるようにすればよい。この実施形態では、そのような水（生活廃水を含む）を受水できるように、例えば、入水管（あるいは導水管）１０１、排水管１０２、及び両管１０１、１０２をつなぐ連通管１０３からなる配管がパッケージ１０に接続されている。なお、各管１０１、１０２、１０３にはそれぞれ開閉弁１０４が設けられ、保守・点検等の便に役立つようにしている。また、貯水槽１と入水管１０１はフレキシブルチューブ１０５で接続されている。なお、１０６は貯水槽１のオーバーフロー水を流出させるためのフレキシブルチューブで、連通管１０３に接続されている。
【００２１】
図２を参照して、貯水槽１及びカウンターウェイト３の交互の上下運動を回転運動に変換する伝動手段４の一例について説明すると、貯水槽１とカウンターウェイト３は、例えば、複数のチェーン４１及び伝動ギヤ４２により連結されている。また、変速ギヤ機構４３を設けて増速した形で伝動軸４４に伝達するとともに、ラチェット手段５であるラチェットギヤにより連結軸４５の一方向の軸回転に変換する。連結軸４５の一方向軸回転をウォームギヤ等により第２の伝動軸４６に伝え、さらに変速ギヤ４７を介してフライホィール６を一方向に回転させるようになっている。フライホィール６は図２では１つであるが、回転軸４８の両端に２つ取り付けることもできる。あるいは、ギヤを介して両側のフライホィール６を同一方向に回転させるようにしても良い。
【００２２】
フライホィール６の回転軸４８と発電機７側の回転軸７１は、図１に示すように、チェーン機構４９あるいはギヤ機構（図示せず）を介して連結し、回転軸７１は複数並列に設けられた発電機（直流発電機）７をウォームギヤ等を介して同時に回転させるようになっている。７２は架台である。なお、発電機７の個数は特に限定されるものではない。発電能力等に応じて適宜の数が設置される。また、貯水槽１への給水が連続的に行われる場合には、上記のように１つまたは複数のフライホィール６を介して発電機７を回転させるが、間欠的・断続的に給水される場合には、フライホィール６を設けることなく伝動手段４によって直接発電機７を回転させるようにする。発電機７は、低トルク・低回転数で発電する直流発電機を使用している。
【００２３】
また、貯水槽１及びカウンターウェイト３の下方にはそれぞれ衝撃吸収手段（ショックアブソーバ）１１が設置されている。衝撃吸収手段１１はそれぞれ単独のものでもよいが、ここではオイルダンパーを用い、かつ両側のオイルダンパー１１１、１１２を連通状態に構成している。そして、この連通部１１３に油圧モータ１１４を設け、この油圧モータ１１４に別の直流発電機（図示せず）を直結する構成としている。すなわち、貯水槽１及びカウンターウェイト３の交互の下降によって、オイルダンパー１１１と１１２間の連通部１１３内をオイルが交互に反対方向に流れ、これによって油圧モータ１１４が正逆方向に回転する。発電機出力は回転方向によってプラスとマイナスの出力となるが、電気的にプラス側だけにして蓄電池８に充電する。このようにオイルダンパーの連通部１１３内のオイルの流れを積極的に利用することによって、エネルギーを無駄にすることなく発電効率をあげることができる。
【００２４】
貯水槽１は、図１に示すように、貯水槽１内の水位（ブレーキ作動位置及びブレーキ解除位置）を検出するための、例えば、水位計（フロートスイッチ）１２を備えている。水位計１２により検出された信号は制御・電力連結装置１３の制御部に送られ、この制御部によって貯水槽１の落下を防ぐようブレーキをかけたり、また所定の水位に達したときブレーキを解除したりする。
【００２５】
図１に示す発電装置では、貯水槽１はほぼ連続的に流れ落ちる水を受け入れるように置かれる。貯水槽１はカウンターウェイト３によって上限位置に持ち上げられており、かつ貯水槽１が落下しないようブレーキがかかっている（例えば、伝動ギヤ４２にブレーキをかける）。貯水槽１内の水位が上がり、所定の水位に達すると、水位計１２からの検出信号により制御・電力連結装置１３の制御部がブレーキを解除する。これにより、所定量あるいはそれ以上の水が貯められた貯水槽１がカウンターウェイト３の重量に打ち勝って急速に下降し、反対にカウンターウェイト３は上昇する。このとき伝動手段４のチェーン４１は図１において左から右へ移動し、このチェーン４１の移動によって伝動ギヤ４２が回転し、さらにラチェット手段５によって回転方向を一方向としてフライホィール６を回転させることになる。
【００２６】
水を貯めた貯水槽１が所定の落差距離を下降した下部位置では、内部の水を自動的に排出する。この自動排水手段２の一例を図４を参照して説明する。同図の（ａ）は正面図、（ｂ）は左側面図、（ｃ）は右側面図である。
貯水槽１の底部側面に設けられた排水口２１を開閉する排水弁２２にはシャフト２３が取り付けられ、シャフト２３の一方の軸端部は貯水槽１の側面に設けられたギヤボックス２４に挿入されている。そして、ギヤボックス２４にはレバー２５が設けられ、レバー２５と排水弁２２のシャフト２３はギヤ機構２６で結合されている。レバー２５の下方にはストライカー２７が設置されており、貯水槽１が下降すると、レバー２５はストライカー２７に当たり、これにより上方へ回転させられる。これによってシャフト２３が回転し排水弁２２が排水口２１を開く。なお、図１では詳細には示していないが、ストライカー２７はパッケージ１０等の適当な位置に取り付けられている。また、図１において、１４は排水口２１に設けられた排水ガイドであり、１５は前記排水管１０２に接続された排水パンである。
【００２７】
したがって、水を貯めた貯水槽１が下降し、下部位置においてレバー２５がストライカー２７に当接することにより、排水弁２２が自動的に開き、貯水槽１内の水を排出する。これによって軽くなった貯水槽１は上昇し、カウンターウェイト３は下降する。また、貯水槽１は上から流れ落ちてくる水を受け入れながら上昇するので、レバー２５がストライカー２７から離れると、水圧及び自重により排水弁２２は自動的に閉まる。貯水槽１が上昇した上限位置においては水位計１２からの信号により貯水槽１がずり落ちしないようにブレーキがかかる。そして、内部の水位が少なくともブレーキ解除位置に達するまではブレーキがかかっており、ブレーキ解除位置に達した途端にブレーキが解除されて貯水槽１は急速に下降し、再び上に述べたようにフライホィール６を一方向に回転させる。したがって、フライホィール６に水（貯留水）の持つ位置エネルギーが蓄積されることになる。
【００２８】
このように、貯水槽１とカウンターウェイト３が上下運動を繰り返し、その上下運動が伝動手段４によって機械的に回転運動に変換され、フライホィール６の一方向回転運動に変換される。したがって、フライホィール６の慣性力によって発電機７が回転し、直流電力の発電を行なわせることができる。この直流電力の発電量は蓄電池８に蓄えられる。
一般需要家の利用に供するためには、図３に示すように、発電により得られた直流電源を電圧・周波数変換装置（ＶＶＶＦ）９により所要の電圧及び周波数の交流電源に変換して送電する。
【００２９】
また、貯水槽１とカウンターウェイト３の底部は、図１に示すように、連通部１１３を有するオイルダンパー１１１、１１２に接続されている。オイルダンパー１１１、１１２によって貯水槽１、カウンターウェイト３の下降時の衝撃を吸収し、かつ騒音発生を防止するとともに、連通部１１３に油圧モータ１１４を設けることによって第２の直流発電機（図示せず）を回転させることができる。但し、この場合は発電機出力は前述のように回転方向によってプラスとマイナスの出力となるが、電気的にプラス側だけにして蓄電池８に充電する。また、前記直流発電機７とこの油圧モータ１１４に直結された第２の直流発電機は蓄電池８の上部で電気的に同電圧で繋ぐことができる。
したがって、貯水槽１とカウンターウェイト３の交互の下降によって生じるオイルダンパー１１１、１１２の連通部１１３内を流れるオイルの流れを利用することによって、貯水槽１すなわち貯留水の位置エネルギーによる発電に加えて発電量を増加させることができるため、更なる発電効率の向上が可能となる。
【００３０】
生活廃水のように間欠的・断続的に流れ落ちる水を利用する場合には、時間的間隔が大きいため、水の位置エネルギーがフライホィール６の回転にほとんど消費されてしまい慣性力を発生させることができないので、フライホィール６のない構成とし、伝動手段４に一方向に回転するようラチェット手段５を設けた回転軸にチェーン機構やギヤ機構等を介して発電機７を連結する。その他の構成は図１と同様である。
このような構成とすることにより、間欠的・断続的に流れ落ちる水（貯留水）の位置エネルギーを利用して前記同様に発電を行うことができる。
したがって、集合住宅等の発電装置しては図１からフライホィール６を省略した構成のものが適している。
【００３１】
以上のように、各実施形態の発電装置は、水（貯留水）の持つ位置エネルギーを利用して発電させることができる。また、装置は極めて簡易化されており、送電路を短くできるため、建設コストを含めた発電コストの低減が可能となる。さらに、設置場所の制約は全くなく、どんな場所にも設置することができ、自家発電設備としての利用も可能である。
【００３２】
以上に述べた実施形態はあくまでも本発明の一例を示すものであり、本発明は上記説明に限定されるものでないことはいうまでもない。例えば、自動排水手段では上記説明の機械的な方法のほかに、貯留水の水圧を利用して自動的に排水弁を開く構成とすることもできる。
【図面の簡単な説明】
【００３３】
【図１】本発明の発電装置の概念図。
【図２】動力伝達系統を示す概念図。
【図３】電力系統図。
【図４】自動排水手段の構造図で、（ａ）は正面図、（ｂ）は左側面図、（ｃ）は右側面図。
【符号の説明】
【００３４】
１  貯水槽、２  自動排水手段、３  カウンターウェイト、４  伝動手段、５  ラチェット手段、６  フライホィール、７  発電機、８  蓄電池、９  電圧・周波数変換装置（ＶＶＶＦ）、１０  パッケージ、１１  衝撃吸収手段、１２  水位計、１３  制御・電力連結装置、１４  排水ガイド、１５  排水パン、２１  排水口、２２  排水弁、２３  シャフト、２４  ギヤボックス、２５  レバー、２６  ギヤ機構、２７  ストライカー、４１  チェーン、４２  伝動ギヤ、４３  変速ギヤ機構、４４  伝動軸、４５  連結軸、４６  第２の伝動軸、４７  変速ギヤ、４８  回転軸、４９  チェーン機構、７１  回転軸、７２  架台、１０１  入水管、１０２  排水管、１０３  連通管、１０４  開閉弁、１０５、１０６  フレキシブルチューブ、１１１、１１２  オイルダンパー、１１３  連通部、１１４  油圧モータ。
【図１】
2005171834.tif 000003
【図２】
2005171834.tif 000004
【図３】
2005171834.tif 000005
【図４】
2005171834.tif 000006